(57)【要約】【課題】ＳＳ方式からＰＤＳ方式に変更される場合や、ＰＤＳ方式からＳＳ方式に変更される場合であっても、同じ装置で対応することが可能な宅用装置を提供すること。【解決手段】ＰＤＳ／ＳＳ識別処理部１３ａは、局側装置からの光信号を検出後、所定時間内にＰＤＳ方式の制御フレームを検出したか否かによって方式を識別し、ＰＤＳ／ＳＳ下り信号切替部１６およびＰＤＳ／ＳＳ上り信号切替部１９を切替える。したがって、ＰＤＳ方式であるかＳＳ方式であるかを自動的に判定して変更することができ、同じ宅用装置でＰＤＳ方式およびＳＳ方式に対応することが可能となる。【選択図】　　　　図１
2004120491.tif 000002
【特許請求の範囲】
【請求項１】
光信号によって局側装置との間でデータを送受信する宅用装置であって、
ＳＳ方式でデータの送受信を行なうための第１の送受信手段と、
ＰＤＳ方式でデータの送受信を行なうための第２の送受信手段と、
前記局側装置からの光信号を検出後、所定時間内にＰＤＳ方式の制御フレームを検出したか否かによって方式を識別するための識別手段と、
前記識別手段による識別結果に応じて、前記第１の送受信手段および前記第２の送受信手段を切替えるための切替手段とを含む宅用装置。
【請求項２】
前記識別手段は、前記制御フレームに含まれる情報からＣＲＣを算出し、前記制御フレームに含まれるＣＲＣと一致するか否かによって方式を識別する、請求項１記載の宅用装置。
【請求項３】
前記識別手段は、前記制御フレームに含まれる方式を識別するための情報を抽出して方式を識別する、請求項１記載の宅用装置。
【請求項４】
光信号によって局側装置との間でデータを送受信する宅用装置であって、
ＳＳ方式でデータの送受信を行なうための第１の送受信手段と、
ＰＤＳ方式でデータの送受信を行なうための第２の送受信手段と、
前記局側装置からの光信号を検出後、ＦＥＦＩを検出したか否かによって方式を識別するための識別手段と、
前記識別手段による識別結果に応じて、前記第１の送受信手段および前記第２の送受信手段を切替えるための切替手段とを含む宅用装置。
【請求項５】
光信号によって局側装置との間でデータを送受信する宅用装置であって、
ＳＳ方式でデータの送受信を行なうための第１の送受信手段と、
ＰＤＳ方式でデータの送受信を行なうための第２の送受信手段と、
前記局側装置から受信したフレームがＳＳ方式の保守フレームであるか、ＰＤＳ方式の制御フレームであるかによって方式を識別するための識別手段と、
前記識別手段による識別結果に応じて、前記第１の送受信手段および前記第２の送受信手段を切替えるための切替手段とを含む宅用装置。
【請求項６】
光信号によって局側装置との間でデータを送受信する宅用装置であって、
ＳＳ方式でデータの送受信を行なうための第１の送受信手段と、
ＰＤＳ方式でデータの送受信を行なうための第２の送受信手段と、
前記局側装置から受信した方式識別フレームに含まれる方式を識別するための情報に応じて、方式を識別するための識別手段と、
前記識別手段による識別結果に応じて、前記第１の送受信手段および前記第２の送受信手段を切替えるための切替手段とを含む宅用装置。
【請求項７】
前記宅用装置はさらに、前記局側装置から受信した光信号を電気信号に変換し、電気信号を光信号に変換して前記局側装置に送信するための変換手段を含み、
前記変換手段は、起動時において内部の光送信デバイスを点灯せずに受信動作のみを行ない、前記識別手段によって方式が識別されたときに前記光送信デバイスを点灯する、請求項１〜６のいずれかに記載の宅用装置。
【発明の詳細な説明】
【０００１】
【発明の属する技術分野】
本発明は、光アクセスサービス用の宅用装置に関し、特に、ＳＳ（Ｓｉｎｇｌｅ　Ｓｔａｒ）方式とＰＤＳ（Ｐａｓｓｉｖｅ　Ｄｏｕｂｌｅ　Ｓｔａｒ）方式とを選択的に切替えて通信を行なう宅用装置に関する。
【０００２】
【従来の技術】
近年、インターネットが広く普及しており、利用者は世界各地で運営されているサイトの様々な情報にアクセスし、その情報を入手することが可能である。それに伴って、ＡＤＳＬ（Ａｓｙｍｍｅｔｒｉｃ　Ｄｉｇｉｔａｌ　Ｓｕｂｓｃｒｉｂｅｒ　Ｌｉｎｅ）、光アクセスサービスなどのブロードバンドアクセスに対する要望も急速に高まってきている。
【０００３】
光アクセスサービスの構成方法として、ＳＳ方式、ＰＤＳ方式などを挙げることができる。ＳＳ方式においては、加入者側の光加入者線終端装置（以下、宅用装置と呼ぶ。）の構成が単純になり、帯域が広くなるといったメリットがあるが、光ファイバや光信号の送受信装置が加入者ごとに必要になるため比較的コストが高くなる。
【０００４】
一方、ＰＤＳ方式においては、光ファイバや伝送装置を複数の加入者で共用するので、システム全体として経済的になるといったメリットがあるが、複数の加入者の共用により帯域が狭くなる場合がある。
【０００５】
【発明が解決しようとする課題】
一般に、ＳＳ方式の宅用装置と、ＰＤＳ方式の宅用装置とは全く別の装置となっているため、たとえば広い帯域を確保するためにＰＤＳ方式からＳＳ方式に変更する場合には、宅用装置自体を変更しなければならなかった。また、逆にシステム全体の経済性を優先してＳＳ方式からＰＤＳ方式に変更する場合にも、宅用装置自体を変更しなければならなかった。そのため、宅用装置の変更によりコストが高くなったり、手間がかかったりするといった問題点があった。
【０００６】
本発明は、上記問題点を解決するためになされたものであり、その目的は、ＳＳ方式からＰＤＳ方式に変更される場合や、ＰＤＳ方式からＳＳ方式に変更される場合であっても、同じ装置で対応することが可能な宅用装置を提供することである。
【０００７】
【課題を解決するための手段】
請求項１に記載の宅用装置は、光信号によって局側装置との間でデータを送受信する宅用装置であって、ＳＳ方式でデータの送受信を行なうための第１の送受信手段と、ＰＤＳ方式でデータの送受信を行なうための第２の送受信手段と、局側装置からの光信号を検出後、所定時間内にＰＤＳ方式の制御フレームを検出したか否かによって方式を識別するための識別手段と、識別手段による識別結果に応じて、第１の送受信手段および第２の送受信手段を切替えるための切替手段とを含む。
【０００８】
識別手段が、局側装置からの光信号を検出後、所定時間内にＰＤＳ方式の制御フレームを検出したか否かによって方式を識別するので、自動的に方式を変更することができ、同じ宅用装置でＰＤＳ方式およびＳＳ方式に対応することが可能となる。
【０００９】
請求項２に記載の宅用装置は、請求項１記載の宅用装置であって、識別手段は、制御フレームに含まれる情報からＣＲＣを算出し、制御フレームに含まれるＣＲＣと一致するか否かによって方式を識別する。
【００１０】
したがって、制御フレームがＰＤＳ方式であるか否かを容易に識別することが可能となる。
【００１１】
請求項３に記載の宅用装置は、請求項１記載の宅用装置であって、識別手段は制御フレームに含まれる方式を識別するための情報を抽出して方式を識別する。
【００１２】
したがって、制御フレームがＰＤＳ方式であるか否かを容易に識別することが可能となる。
【００１３】
請求項４に記載の宅用装置は、光信号によって局側装置との間でデータを送受信する宅用装置であって、ＳＳ方式でデータの送受信を行なうための第１の送受信手段と、ＰＤＳ方式でデータの送受信を行なうための第２の送受信手段と、局側装置からの光信号を検出後、ＦＥＦＩを検出したか否かによって方式を識別するための識別手段と、識別手段による識別結果に応じて、第１の送受信手段および第２の送受信手段を切替えるための切替手段とを含む。
【００１４】
識別手段が、局側装置からの光信号を検出後、ＦＥＦＩを検出したか否かによって方式を識別するので、自動的に方式を変更することができ、同じ宅用装置でＰＤＳ方式およびＳＳ方式に対応することが可能となる。
【００１５】
請求項５に記載の宅用装置は、光信号によって局側装置との間でデータを送受信する宅用装置であって、ＳＳ方式でデータの送受信を行なうための第１の送受信手段と、ＰＤＳ方式でデータの送受信を行なうための第２の送受信手段と、局側装置から受信したフレームがＳＳ方式の保守フレームであるか、ＰＤＳ方式の制御フレームであるかによって方式を識別するための識別手段と、識別手段による識別結果に応じて、第１の送受信手段および前記第２の送受信手段を切替えるための切替手段とを含む。
【００１６】
識別手段が、局側装置から受信したフレームがＳＳ方式の保守フレームであるか、ＰＤＳ方式の制御フレームであるかによって方式を識別するので、自動的に方式を変更することができ、同じ宅用装置でＰＤＳ方式およびＳＳ方式に対応することが可能となる。
【００１７】
請求項６に記載の宅用装置は、光信号によって局側装置との間でデータを送受信する宅用装置であって、ＳＳ方式でデータの送受信を行なうための第１の送受信手段と、ＰＤＳ方式でデータの送受信を行なうための第２の送受信手段と、局側装置から受信した方式識別フレームに含まれる方式を識別するための情報に応じて、方式を識別するための識別手段と、識別手段による識別結果に応じて、第１の送受信手段および第２の送受信手段を切替えるための切替手段とを含む。
【００１８】
識別手段が、局側装置から受信した方式識別フレームに含まれる方式を識別するための情報に応じて、方式を識別するので、自動的に方式を変更することができ、同じ宅用装置でＰＤＳ方式およびＳＳ方式に対応することが可能となる。
【００１９】
請求項７に記載の宅用装置は、請求項１〜６のいずれかに記載の宅用装置であって、さらに局側装置から受信した光信号を電気信号に変換し、電気信号を光信号に変換して局側装置に送信するための変換手段を含み、変換手段は、起動時において内部の光送信デバイスを点灯せずに受信動作のみを行ない、識別手段によって方式が識別されたときに光送信デバイスを点灯する。
【００２０】
したがって、光送信デバイスの点灯時間を減らして消費電力を削減することが可能となる。
【００２１】
【発明の実施の形態】
まず、図８を参照して、イーサネット（Ｒ）の規格であるＩＥＥＥ（ｔｈｅ　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ，　Ｉｎｃ．）８０２．３におけるプロトコル階層について簡単に説明する。１００Ｍｂｐｓ／１Ｇｂｐｓイーサネット（Ｒ）ＰＯＮ（Ｐａｓｓｉｖｅ　Ｏｐｔｉｃａｌ　Ｎｅｔｗｏｒｋ）および１００Ｍｂｐｓ／１Ｇｂｐｓイーサネット（Ｒ）ＳＳも、基本的にはこのプロトコル階層に従っている。
【００２２】
図８に示すプロトコル階層は、主にデータリンク層および物理層についてのものであり、ＭＡＣ（Ｍｅｄｉａ　Ａｃｃｅｓｓ　Ｃｏｎｔｒｏｌ）１０１、ＲＳ（Ｒｅｃｏｎｃｉｌｌａｔｉｏｎ　Ｓｕｂｌａｙｅｒ）１０２、ＧＭＩＩ（Ｇｉｇａ　ｂｉｔ　Ｍｅｄｉｕｍ　Ｉｎｄｅｐｅｎｄｅｎｔ　Ｉｎｔｅｒｆａｃｅ）／ＭＩＩ（Ｍｅｄｉｕｍ　Ｉｎｄｅｐｅｎｄｅｎｔ　Ｉｎｔｅｒｆａｃｅ）１０３、ＰＣＳ（Ｐｈｙｓｉｃａｌ　Ｃｏｄｉｎｇ　Ｓｕｂｌａｙｅｒ）１０４、ＰＭＡ（Ｐｈｙｓｉｃａｌ　Ｍｅｄｉｕｍ　Ａｔｔａｃｈｍｅｎｔ）１０５およびＰＭＤ（Ｐｈｙｓｉｃａｌ　Ｍｅｄｉｕｍ　Ｄｅｐｅｎｄｅｎｔ）１０６を含む。
【００２３】
ＭＡＣ１０１は、半二重モードおよび全二重モードのモード制御を行ない、データ転送の衝突を避けて効率的にデータ転送を行なう機能を有する。ＲＳ１０２は、データ転送の調停を行なう機能を有する。
【００２４】
ＧＭＩＩ／ＭＩＩ１０３は、ＭＡＣ１０１が物理層の機能を使う際に、伝送メディアが異なっていても共通のインタフェースを利用できるように、伝送メディアの差を吸収する機能を有する。
【００２５】
ＰＣＳ１０４は、ＧＭＩＩ／ＭＩＩ１０３を介してＭＡＣ１０１から転送された符号を、１００Ｍｂｐｓ／１Ｇｂｐｓの速度で伝送するのに適した伝送符号に変換する機能、およびＰＭＡ１０５から転送された伝送符号をＭＡＣ１０１が理解できる符号に変換する機能を有する。
【００２６】
ＰＭＡ１０５は、ＰＣＳ１０４によって符号化されたパラレルデータを、伝送メディアが送信するのに適したシリアルデータに変換する機能、およびＰＭＤ１０６から転送されたシリアルデータをパラレルデータに変換する機能を有する。
ＰＭＤ１０６は、ＰＭＡ１０５から転送されたシリアルデータを、それぞれの伝送メディアに応じて、光のオン／オフ信号等に変換する機能を有する。
【００２７】
（第１の実施の形態）
図１は、本発明の第１の実施の形態における宅用装置の概略構成を示すブロック図である。この宅用装置は、光リンク部１１と、ＰＨＹ（ＰＨＹｓｉｃａｌ　ｌａｙｅｒ　ｐｒｏｔｏｃｏｌ）部１２と、ＰＤＳ／ＳＳ識別処理部１３ａと、ＰＤＳ下り信号処理部１４と、ＳＳ下り信号処理部１５と、ＰＤＳ／ＳＳ下り信号切替部１６と、ＰＤＳ上り信号処理部１７と、ＳＳ上り信号処理部１８と、ＰＤＳ／ＳＳ上り信号切替部１９と、共通処理部２０とを含む。
【００２８】
光リンク部１１は、光データ回線を介して受信した光信号を電気信号に変換し、ＰＨＹ部１２に転送する。また、光リンク部１１は、ＰＨＹ部１２から転送された電気信号を光信号に変換し、光データ回線を介して局側装置に送信する。この光リンク部１１は、主に図８に示すＰＭＤ１０６の機能を実現する。
【００２９】
ＰＨＹ部１２は、光リンク部１１から転送されたシリアルデータをパラレルデータに変換した後、ＭＡＣ１０１が理解できるデータに変換して、ＰＤＳ／ＳＳ識別処理部１３ａおよびＰＤＳ／ＳＳ下り信号切替部１６に転送する。また、ＰＨＹ部１２は、ＰＤＳ上り信号処理部１７またはＳＳ上り信号処理部１８から転送されたデータに対して所定の符号化を行ない、シリアルデータに変換して光リンク部１１に転送する。このＰＨＹ部１２は、主に図８に示すＰＣＳ１０４およびＰＭＡ１０５の機能を実現する。
【００３０】
ＰＤＳ／ＳＳ識別処理部１３ａは、ＰＨＹ部１２から転送されたデータを参照して、ＰＤＳ方式によるデータ伝送であるかＳＳ方式によるデータ伝送であるかを識別する。なお、ＰＤＳ／ＳＳ識別処理部１３ａの処理の詳細は後述する。
【００３１】
ＰＤＳ下り信号処理部１４は、ＰＨＹ部１２から転送されたＰＤＳ方式のデータ（フレーム）の中継、削除などの制御を行なう。ＰＤＳ下り信号処理部１４は、フレームに含まれるＭＡＣアドレスが宅用装置に接続された端末宛てであればそのフレームを取込み、データを抽出して共通処理部２０に転送する。このＰＤＳ下り信号処理部１４は、主に図８に示すＭＡＣ１０１の機能を実現する。
【００３２】
ＳＳ下り信号処理部１５は、ＰＨＹ部１２から転送されたＳＳ方式のデータ（フレーム）の中継、削除などの制御を行なう。ＳＳ下り信号処理部１５は、フレームに含まれるデータを抽出して共通処理部２０に転送する。このＳＳ下り信号処理部１５は、主に図８に示すＭＡＣ１０１の機能を実現する。
【００３３】
ＰＤＳ／ＳＳ下り信号切替部１６は、ＰＤＳ／ＳＳ識別処理部１３ａによる識別結果に応じて、ＰＨＹ部１２から出力されたデータをＰＤＳ下り信号処理部１４およびＳＳ下り信号処理部１５のいずれかに選択的に転送する。
【００３４】
ＰＤＳ上り信号処理部１７は、共通処理部２０から出力されたデータを受け、ＰＤＳ方式のフレームを生成してＰＨＹ部１２に転送する。このＰＤＳ上り信号処理部１７は、主に図８に示すＭＡＣ１０１の機能を実現する。
【００３５】
ＳＳ上り信号処理部１８は、共通処理部２０から出力されたデータを受け、ＳＳ方式のフレームを生成してＰＨＹ部１２に転送する。このＳＳ上り信号処理部１８は、主に図８に示すＭＡＣ１０１の機能を実現する。
【００３６】
ＰＤＳ／ＳＳ上り信号切替部１９は、ＰＤＳ／ＳＳ識別処理部１３ａによる識別結果に応じて、共通処理部２０から出力されたデータをＰＤＳ上り信号処理部１７およびＳＳ上り信号処理部１８のいずれかに選択的に転送する。
【００３７】
共通処理部２０は、ＰＤＳ下り信号処理部１４またはＳＳ下り信号処理部１５から転送されたデータを、宅用装置に接続される端末に転送する。また、共通処理部２０は、宅用装置に接続される端末から転送されたデータを、ＰＤＳ／ＳＳ上り信号切替部１９に転送する。
【００３８】
図２は、本発明の第１の実施の形態におけるＰＤＳ／ＳＳ識別処理部１３ａの識別方法を説明するための図である。図２（ａ）は、ＳＳ方式のフレームフォーマットを示しており、ＳＰＤ（Ｓｔａｒｔ　ｏｆ　Ｐａｃｋｅｔ　Ｄｅｌｉｍｉｔｅｒ）／ＳＳＤ（Ｓｔａｒｔ　ｏｆ　Ｓｔｒｅａｍ　Ｄｅｌｉｍｉｔｅｒ）と、６バイトのＰＡ（ＰｒｅＡｍｂｌｅ）と、ＳＦＤ（Ｓｔａｒｔ　ｏｆ　Ｆｒａｍｅ　Ｄｅｌｉｍｉｔｅｒ）と、ＭＡＣクライアント・データとを含む。
【００３９】
ＳＳ方式において、局側装置は、ＩＥＥＥ８０２．３に規定されるフレームを送信する。また、局側装置がリンクアップを検出するまで、原則として局側装置はフレームを宅用装置に送信しない。
【００４０】
図２（ｂ）は、ＰＤＳ方式のフレームフォーマットを示しており、ＳＰＤ／ＳＳＤと、６バイトの制御データと、ＣＲＣ（Ｃｙｃｌｉｃ　Ｒｅｄｕｎｄａｎｃｙ　Ｃｈｅｃｋ）と、ＭＡＣクライアント・データとを含む。
【００４１】
ＰＤＳ方式においては、プリアンブル部が制御データとして使用されており、先頭から７バイト目までに対応するＣＲＣが８バイト目に格納される。また、局側装置は、常に定期的に制御フレームを宅用装置に送信している。
【００４２】
光リンク部１１が連続して光信号を検出している状態において、ＰＤＳ／ＳＳ識別処理部１３ａは、ＰＨＹ部１２から転送されたフレームのプリアンブル部（制御データ）を検出し、先頭から７バイト目までのＣＲＣを算出して、フレームに含まれるＣＲＣの値と比較する。ＰＤＳ／ＳＳ識別処理部１３ａは、ＣＲＣが一致するフレームを連続して３回受信した場合には、光データ回線がＰＤＳ方式で運用されていると判断する。
【００４３】
また、光リンク部１１が光信号を一定時間継続して検出しているにもかかわらず、ＰＤＳ方式と判断できるフレームを受信しなかった場合には、ＰＤＳ／ＳＳ識別処理部１３ａは、その光データ回線がＳＳ方式で運用されていると判断する。ここで、一定時間とは、ＰＤＳ方式における制御フレーム送信間隔の１０倍とする。
【００４４】
なお、本実施の形態におけるＰＤＳ／ＳＳ識別処理部１３ａは、プリアンブル部（制御データ）を検出してＰＤＳ方式であるかＳＳ方式であるかを判定しているため、図８のＰＣＳ１０４に相当している。
【００４５】
また、光リンク部１１は、起動時においては内部の光送信デバイスを点灯せずに、光信号の受信のみを行なう。そして、ＰＤＳ／ＳＳ識別処理部１３ａによって方式が識別されたときに、光リンク部１１は光送信デバイスを点灯して送信動作を開始するようにしてもよい。
【００４６】
以上説明したように、本実施の形態における宅用装置によれば、ＰＤＳ／ＳＳ識別処理部１３ａがＰＨＹ部１２から転送されたフレームに含まれるプリアンブル部（制御データ）を検出し、そのＣＲＣが一致するか否かによってＰＤＳ方式であるかＳＳ方式であるかを判定し、ＰＤＳ／ＳＳ下り信号切替部１６およびＰＤＳ／ＳＳ上り信号切替部１９を切替えるようにしたので、ＳＳ方式からＰＤＳ方式に変更される場合や、ＰＤＳ方式からＳＳ方式に変更される場合であっても、同じ宅用装置で対応することができ、変更に伴うコストや手間の削減が可能となった。
【００４７】
（第２の実施の形態）
本発明の第２の実施の形態における宅用装置の概略構成は、図１に示す第１の実施の形態における宅用装置の概略構成と比較して、ＰＤＳ／ＳＳ識別処理部の機能が異なる点のみが異なる。したがって、重複する構成および機能の詳細な説明は繰返さない。なお、本実施の形態におけるＰＤＳ／ＳＳ識別処理部の参照符号を１３ｂとして説明する。
【００４８】
図３は、本発明の第２の実施の形態におけるＰＤＳ／ＳＳ識別処理部１３ｂの識別方法を説明するための図である。図３（ａ）は、ＳＳ方式のフレームフォーマットを示しており、ＳＰＤ／ＳＳＤと、６バイトのＰＡと、ＳＦＤと、ＭＡＣクライアント・データとを含む。
【００４９】
ＳＳ方式において、局側装置は、ＩＥＥＥ８０２．３に規定されるフレームを送信する。また、局側装置がリンクアップを検出するまで、原則として局側装置はフレームを送信しない。
【００５０】
図３（ｂ）は、ＰＤＳ方式のフレームフォーマットを示しており、ＳＰＤ／ＳＳＤと、６バイトのＰＡまたは制御データと、ＳＦＤと、ＭＡＣクライアント・データとを含む。
【００５１】
図３（ｃ）は、ＰＤＳ方式の制御フレームのフォーマットを示しており、ＳＰＤ／ＳＳＤと、６バイトのＰＡまたは制御データと、ＳＦＤと、ＤＡ（Ｄｅｓｔｉｎａｔｉｏｎ　Ａｄｄｒｅｓｓ）と、ＳＡ（Ｓｏｕｒｃｅ　Ａｄｄｒｅｓｓ）と、ＥｔｈｅｒＴｙｐｅ（０ｘ８８０８）と、制御データと、ＣＲＣとを含む。
【００５２】
ＰＤＳ方式においては、局側装置が、常に定期的に制御フレームを宅用装置に送信している。また、フレームフォーマットの８バイト目は、ＩＥＥＥ８０２．３に規定されるフレームと同様にＳＦＤである。さらには、制御フレームのＥｔｈｅｒＴｙｐｅが０ｘ８８０８であり、この値はＳＳ方式においては使用されないとする。
【００５３】
光リンク部１１が連続して光信号を検出している状態において、ＰＤＳ／ＳＳ識別処理部１３ｂは、正しく受信したフレームのＥｔｈｅｒＴｙｐｅが０ｘ８８０８であれば、光データ回線がＰＤＳ方式で運用されていると判断する。
【００５４】
また、光リンク部１１が光信号を一定時間継続して検出しているにもかかわらず、ＰＤＳ方式と判断できるフレームを受信しなかった場合には、ＰＤＳ／ＳＳ識別処理部１３ｂは、その光データ回線がＳＳ方式で運用されていると判断する。ここで、一定時間とは、ＰＤＳ方式における制御フレーム送信間隔の１０倍とする。
【００５５】
なお、本実施の形態におけるＰＤＳ／ＳＳ識別処理部１３ｂは、制御フレームに含まれるＥｔｈｅｒＴｙｐｅが０ｘ８８０８であるか否かを判定してＰＤＳ方式であるかＳＳ方式であるかを判定しているため、図８のＭＡＣ１０１に相当している。
【００５６】
以上説明したように、本実施の形態における宅用装置によれば、ＰＤＳ／ＳＳ識別処理部１３ｂがＰＨＹ部１２から転送された制御フレームに含まれるＥｔｈｅｒＴｙｐｅが０ｘ８８０８であるか否かによってＰＤＳ方式であるかＳＳ方式であるかを判定し、ＰＤＳ／ＳＳ下り信号切替部１６およびＰＤＳ／ＳＳ上り信号切替部１９を切替えるようにしたので、ＳＳ方式からＰＤＳ方式に変更される場合や、ＰＤＳ方式からＳＳ方式に変更される場合であっても、同じ宅用装置で対応することができ、変更に伴うコストや手間の削減が可能となった。
【００５７】
（第３の実施の形態）
図４は、本発明の第３の実施の形態における宅用装置の概略構成を示すブロック図である。この宅用装置は、光リンク部１１と、ＰＨＹ部１２’と、ＰＤＳ下り信号処理部１４と、ＳＳ下り信号処理部１５と、ＰＤＳ／ＳＳ下り信号切替部１６と、ＰＤＳ上り信号処理部１７と、ＳＳ上り信号処理部１８と、ＰＤＳ／ＳＳ上り信号切替え部１９と、共通処理部２０とを含む。なお、図１に示す本発明の第１の実施の形態における宅用装置と同じ構成および機能を有する部分については同じ参照符号を付すものとし、その詳細な説明は繰返さない。
【００５８】
ＰＨＹ部１２’は、光データ回線を介して局側装置から送出されたＦＥＦＩ（Ｆａｒ　Ｅｎｄ　Ｆａｕｌｔ　Ｉｎｄｉｃａｔｉｏｎ）を検出し、ＰＤＳ／ＳＳ下り信号切替部１６およびＰＤＳ／ＳＳ上り信号切替部１９にＦＥＦＩ信号を出力する。ＳＳ方式においては、局側装置は光リンクがアップするまでＦＥＦＩを送出する。一方、ＰＤＳ方式においては、局側装置がＦＥＦＩを送出することはない。
【００５９】
光リンク部１１が連続して光信号を検出している状態において、ＰＨＹ部１２’がＦＥＦＩを検出すると、ＦＥＦＩ信号によってＰＤＳ／ＳＳ下り信号切替部１６およびＰＤＳ／ＳＳ上り信号切替部１９を切替えて、ＳＳ下り信号処理部１５およびＳＳ上り信号処理部１８が動作するように制御を行なう。また、ＰＨＹ部１２’がＦＥＦＩを検出しなければ、ＦＥＦＩ信号によってＰＤＳ／ＳＳ下り信号切替部１６およびＰＤＳ／ＳＳ上り信号切替部１９を切替えて、ＰＤＳ下り信号処理部１４およびＰＤＳ上り信号処理部１７が動作するように制御を行なう。
【００６０】
なお、ＰＨＹ部１２’において、ＦＥＦＩを検出するのは、１００ＢＡＳＥ−Ｘの場合にはＰＭＡ１０５に相当する部分であり、１０００ＢＡＳＥ−Ｘの場合にはＰＣＳ１０４に相当する部分である。
【００６１】
以上説明したように、本実施の形態における宅用装置によれば、ＰＨＹ部１２’がＦＥＦＩを検出するか否かによってＰＤＳ方式であるかＳＳ方式であるかを判定し、ＰＤＳ／ＳＳ下り信号切替部１６およびＰＤＳ／ＳＳ上り信号切替部１９を切替えるようにしたので、ＳＳ方式からＰＤＳ方式に変更される場合や、ＰＤＳ方式からＳＳ方式に変更される場合であっても、同じ宅用装置で対応することができ、変更に伴うコストや手間の削減が可能となった。
【００６２】
（第４の実施の形態）
本発明の第４の実施の形態における宅用装置の概略構成は、図１に示す第１の実施の形態における宅用装置の概略構成と比較して、ＰＤＳ／ＳＳ識別処理部の機能が異なる点のみが異なる。したがって、重複する構成および機能の詳細な説明は繰返さない。なお、本実施の形態におけるＰＤＳ／ＳＳ識別処理部の参照符号を１３ｃとして説明する。
【００６３】
図５は、本発明の第４の実施の形態におけるＰＤＳ／ＳＳ識別処理部１３ｃの識別方法を説明するための図である。図５（ａ）は、ＳＳ方式の一般フレームのフォーマットを示しており、ＳＰＤ／ＳＳＤと、６バイトのＰＡと、ＳＦＤと、ＭＡＣクライアント・データとを含む。
【００６４】
図５（ｂ）は、ＳＳ方式の保守フレームのフォーマットを示しており、ＳＰＤ／ＳＳＤと、１０バイトの保守フレーム・データと、ＣＲＣとを含む。
【００６５】
ＳＳ方式において、局側装置は、光リンクがアップしているか否かにかかわらず、定期的にＴＴＣ（Ｔｈｅ　ｔｅｌｅｃｏｍｍｕｎｉｃａｔｉｏｎ　Ｔｅｃｈｎｏｌｏｇｙ　Ｃｏｍｍｉｔｔｅｅ）標準ＴＳ−１０００に準拠した保守フレームを送信する。この保守フレームは、ＳＦＤのない１２バイトのプリアンブルのように見える。なお、１２バイト目が、先頭から１１バイト目までのＣＲＣとなっている。
【００６６】
図５（ｃ）は、ＰＤＳ方式の一般フレームのフォーマットを示しており、ＳＰＤ／ＳＳＤと、６バイトの制御データと、ＣＲＣと、ＭＡＣクライアント・データとを含む。
【００６７】
図５（ｄ）は、ＰＤＳ方式の制御フレームのフォーマットを示しており、ＳＰＤ／ＳＳＤと、６バイトの制御データと、ＣＲＣとを含む。
【００６８】
ＰＤＳ方式においては、局側装置が、常に定期的に制御フレームを宅用装置に送信している。また、フレームフォーマットの８バイト目は、先頭から７バイト目までのＣＲＣである。
【００６９】
光リンク部１１が連続して光信号を検出している状態において、ＰＤＳ／ＳＳ識別処理部１３ｃは、ＰＨＹ部１２から転送されたフレームのフレーム長が８バイトであり、そのプリアンブル部（制御データ）を検出し、先頭から７バイト目までのＣＲＣを算出して、フレームに含まれるＣＲＣの値と比較する。ＰＤＳ／ＳＳ識別処理部１３ｃは、ＣＲＣが一致する場合には当該フレームがＰＤＳ方式の制御フレームであると判断し、光データ回線がＰＤＳ方式で運用されていると判断する。
【００７０】
また、ＰＤＳ／ＳＳ識別処理部１３ｃは、ＰＨＹ部１２から転送されたフレームのフレーム長が１２バイトであり、その保守フレーム・データを検出し、先頭から１１バイト目までのＣＲＣを算出して、フレームに含まれるＣＲＣの値と比較する。ＰＤＳ／ＳＳ識別処理部１３ｃは、ＣＲＣが一致する場合には当該フレームがＳＳ方式の保守フレームであると判断し、光データ回線がＳＳ方式で運用されていると判断する。
【００７１】
なお、本実施の形態におけるＰＤＳ／ＳＳ識別処理部１３ｃは、制御データまたは保守フレーム・データを検出してＰＤＳ方式であるかＳＳ方式であるかを判定しているため、図８のＰＣＳ１０４に相当している。
【００７２】
以上説明したように、本実施の形態における宅用装置によれば、ＰＤＳ／ＳＳ識別処理部１３ｃがＰＨＹ部１２から転送されたフレームに含まれる制御データまたは保守フレーム・データを検出し、そのＣＲＣが一致するか否かによってＰＤＳ方式であるかＳＳ方式であるかを判定し、ＰＤＳ／ＳＳ下り信号切替部１６およびＰＤＳ／ＳＳ上り信号切替部１９を切替えるようにしたので、ＳＳ方式からＰＤＳ方式に変更される場合や、ＰＤＳ方式からＳＳ方式に変更される場合であっても、同じ宅用装置で対応することができ、変更に伴うコストや手間の削減が可能となった。
【００７３】
（第５の実施の形態）
本発明の第５の実施の形態における宅用装置の概略構成は、図１に示す第１の実施の形態における宅用装置の概略構成と比較して、ＰＤＳ／ＳＳ識別処理部の機能が異なる点のみが異なる。したがって、重複する構成および機能の詳細な説明は繰返さない。なお、本実施の形態におけるＰＤＳ／ＳＳ識別処理部の参照符号を１３ｄとして説明する。
【００７４】
図６は、本発明の第５の実施の形態におけるＰＤＳ／ＳＳ識別処理部１３ｄの識別方法を説明するための図である。図６は、ＳＳ／ＰＤＳ方式を識別するための方式識別フレームのフォーマットを示しており、ＳＰＤ／ＳＳＤと、ＳＳ／ＳＰＤ識別子と、５バイトのプリアンブル（制御データ）と、ＣＲＣとを含む。
【００７５】
ＳＳ／ＰＤＳ識別子が、“１”のときに光データ回線がＳＳ方式で運用されていることを示し、“２”のときに光データ回線がＰＤＳ方式で運用されていることを示している。一般のフレームにおいては、フレームの２バイト目が“１”および“２”にはならないものとする。なお、局側装置は、定期的に方式識別フレームを宅用装置に送信している。
【００７６】
光リンク部１１が連続して光信号を検出している状態において、ＰＤＳ／ＳＳ識別処理部１３ｄは、ＰＨＹ部１２から転送されたフレームのフレーム長が８バイトであり、そのプリアンブル部（制御データ）を検出し、先頭から７バイト目までのＣＲＣを算出して、フレームに含まれるＣＲＣの値と同じであることを確認して、当該フレームが方式識別フレームであることを確認する。そして、ＰＤＳ／ＳＳ識別処理部１３ｄは、１バイト目がＳＰＤまたはＳＳＤであるならば、２バイト目のＳＳ／ＰＤＳ識別子を抽出する。
【００７７】
ＳＳ／ＰＤＳ識別子の値が“１”であれば、光データ回線がＳＳ方式で運用されていると判断する。また、ＳＳ／ＰＤＳ識別子の値が“２”であれば、光データ回線がＰＤＳ方式で運用されていると判断する。
【００７８】
なお、本実施の形態におけるＰＤＳ／ＳＳ識別処理部１３ｄは、方式識別フレームに含まれるＳＳ／ＰＤＳ識別子の値によってＰＤＳ方式であるかＳＳ方式であるかを判定しているため、図８のＰＣＳ１０４に相当している。
【００７９】
以上説明したように、本実施の形態における宅用装置によれば、ＰＤＳ／ＳＳ識別処理部１３ｄがＰＨＹ部１２から転送された方式識別フレームに含まれるＳＳ／ＰＤＳ識別子の値によってＰＤＳ方式であるかＳＳ方式であるかを判定し、ＰＤＳ／ＳＳ下り信号切替部１６およびＰＤＳ／ＳＳ上り信号切替部１９を切替えるようにしたので、ＳＳ方式からＰＤＳ方式に変更される場合や、ＰＤＳ方式からＳＳ方式に変更される場合であっても、同じ宅用装置で対応することができ、変更に伴うコストや手間の削減が可能となった。
【００８０】
（第６の実施の形態）
本発明の第６の実施の形態における宅用装置の概略構成は、図１に示す第１の実施の形態における宅用装置の概略構成と比較して、ＰＤＳ／ＳＳ識別処理部の機能が異なる点のみが異なる。したがって、重複する構成および機能の詳細な説明は繰返さない。なお、本実施の形態におけるＰＤＳ／ＳＳ識別処理部の参照符号を１３ｅとして説明する。
【００８１】
図７は、本発明の第６の実施の形態におけるＰＤＳ／ＳＳ識別処理部１３ｅの識別方法を説明するための図である。図７は、ＳＳ／ＰＤＳ方式を識別するための方式識別フレームのフォーマットを示しており、ＳＰＤ／ＳＳＤと、６バイトのＰＡ（制御データ）と、ＳＦＤと、ＤＡと、ＳＡと、ＥｔｈｅｒＴｙｐｅ（０ｘ８８０８）と、ＳＳ／ＳＰＤ識別子と、他の制御データ（ｐａｄｄｉｎｇ）と、ＣＲＣとを含む。なお、ＭＡＣクライアント・データ長は６４バイトである。
【００８２】
ＳＳ／ＰＤＳ識別子が、“１”のときに光データ回線がＳＳ方式で運用されていることを示し、“２”のときに光データ回線がＰＤＳ方式で運用されていることを示している。なお、局側装置は、定期的に方式識別フレームを宅用装置に送信している。
【００８３】
光リンク部１１が連続して光信号を検出している状態において、ＰＤＳ／ＳＳ識別処理部１３ｅは、ＰＨＹ部１２から転送されたＭＡＣクライアント・データ長が６４バイトであり、そのプリアンブル部（制御データ）を検出し、先頭からＣＲＣの前までのＣＲＣを算出して、フレームに含まれるＣＲＣの値と同じであることを確認して、当該フレームが方式識別フレームであることを確認する。そして、ＰＤＳ／ＳＳ識別処理部１３ｅは、ＳＳ／ＰＤＳ識別子を抽出する。
【００８４】
ＳＳ／ＰＤＳ識別子の値が“１”であれば、光データ回線がＳＳ方式で運用されていると判断する。また、ＳＳ／ＰＤＳ識別子の値が“２”であれば、光データ回線がＰＤＳ方式で運用されていると判断する。
なお、本実施の形態におけるＰＤＳ／ＳＳ識別処理部１３ｅは、方式識別フレームに含まれるＳＳ／ＰＤＳ識別子の値によってＰＤＳ方式であるかＳＳ方式であるかを判定しているため、図８のＰＣＳ１０４に相当している。
【００８５】
以上説明したように、本実施の形態における宅用装置によれば、ＰＤＳ／ＳＳ識別処理部１３ｅがＰＨＹ部１２から転送された方式識別フレームに含まれるＳＳ／ＰＤＳ識別子の値によってＰＤＳ方式であるかＳＳ方式であるかを判定し、ＰＤＳ／ＳＳ下り信号切替部１６およびＰＤＳ／ＳＳ上り信号切替部１９を切替えるようにしたので、ＳＳ方式からＰＤＳ方式に変更される場合や、ＰＤＳ方式からＳＳ方式に変更される場合であっても、同じ宅用装置で対応することができ、変更に伴うコストや手間の削減が可能となった。
【００８６】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８７】
【発明の効果】
請求項１に記載の宅用装置によれば、識別手段が、局側装置からの光信号を検出後、所定時間内にＰＤＳ方式の制御フレームを検出したか否かによって方式を識別するので、自動的に方式を変更することができ、同じ宅用装置でＰＤＳ方式およびＳＳ方式に対応することが可能となった。
【００８８】
請求項２に記載の宅用装置によれば、制御フレームがＰＤＳ方式であるか否かを容易に識別することが可能となった。
【００８９】
請求項３に記載の宅用装置によれば、制御フレームがＰＤＳ方式であるか否かを容易に識別することが可能となった。
【００９０】
請求項４に記載の宅用装置によれば、識別手段が、局側装置からの光信号を検出後、ＦＥＦＩを検出したか否かによって方式を識別するので、自動的に方式を変更することができ、同じ宅用装置でＰＤＳ方式およびＳＳ方式に対応することが可能となった。
【００９１】
請求項５に記載の宅用装置によれば、識別手段が、局側装置から受信したフレームがＳＳ方式の保守フレームであるか、ＰＤＳ方式の制御フレームであるかによって方式を識別するので、自動的に方式を変更することができ、同じ宅用装置でＰＤＳ方式およびＳＳ方式に対応することが可能となった。
【００９２】
請求項６に記載の宅用装置によれば、識別手段が、局側装置から受信した方式識別フレームに含まれる方式を識別するための情報に応じて、方式を識別するので、自動的に方式を変更することができ、同じ宅用装置でＰＤＳ方式およびＳＳ方式に対応することが可能となった。
【００９３】
請求項７に記載の宅用装置によれば、光送信デバイスの点灯時間を減らして消費電力を削減することが可能となった。
【図面の簡単な説明】
【図１】本発明の第１の実施の形態における宅用装置の概略構成を示すブロック図である。
【図２】本発明の第１の実施の形態におけるＰＤＳ／ＳＳ識別処理部１３ａの識別方法を説明するための図である。
【図３】本発明の第２の実施の形態におけるＰＤＳ／ＳＳ識別処理部１３ｂの識別方法を説明するための図である。
【図４】本発明の第３の実施の形態における宅用装置の概略構成を示すブロック図である。
【図５】本発明の第４の実施の形態におけるＰＤＳ／ＳＳ識別処理部１３ｃの識別方法を説明するための図である。
【図６】本発明の第５の実施の形態におけるＰＤＳ／ＳＳ識別処理部１３ｄの識別方法を説明するための図である。
【図７】本発明の第６の実施の形態におけるＰＤＳ／ＳＳ識別処理部１３ｅの識別方法を説明するための図である。
【図８】ＩＥＥＥ８０２．３におけるプロトコル階層を説明するための図である。
【符号の説明】
１１　光リンク部、１２，１２’　ＰＨＹ部、１３ａ　ＰＤＳ／ＳＳ識別処理部、１４　ＰＤＳ下り信号処理部、１５　ＳＳ下り信号処理部、１６　ＰＤＳ／ＳＳ下り信号切替部、１７　ＰＤＳ上り信号処理部、１８　ＳＳ上り信号処理部、１９　ＰＤＳ／ＳＳ上り信号切替部、２０　共通処理部、１０１　ＭＡＣ、１０２　ＲＳ、１０３　ＧＭＩＩ／ＭＩＩ、１０４　ＰＣＳ、１０５　ＰＭＡ、１０６　ＰＭＤ。
【図１】
2004120491.tif 000003
【図２】
2004120491.tif 000004
【図３】
2004120491.tif 000005
【図４】
2004120491.tif 000006
【図５】
2004120491.tif 000007
【図６】
2004120491.tif 000008
【図７】
2004120491.tif 000009
【図８】
2004120491.tif 000010